(57)【特許請求の範囲】
【請求項１】
前面を開口したストーブ本体と、前記ストーブ本体内に設けた反射板と、前記反射板の前方に断面形状が長方形である直線状の炭素系抵抗発熱体とその外周を覆う管体からなる発熱体ユニットを備え、前記反射板は、複数の平面状の反射面を略円弧状に繋ぎ合わせて構成し、前記炭素系抵抗発熱体の断面の長辺側が前記ストーブ本体の略前面に向くように配設したことを特徴とする電気ストーブ。
【請求項２】
反射板は前記発熱体ユニットの輻射熱をストーブ本体の前方の広範囲に拡散するように構成した請求項１に記載の電気ストーブ。
【請求項３】
反射板は、発熱体ユニットの真後ろ部分に前記発熱体ユニットから真後ろへの輻射熱を全て前記発熱体ユニット以外の方向に反射するための略Ｖ字形状の凸部を有する請求項１または２に記載の電気ストーブ。
【請求項４】
反射板は、発熱体ユニットが放射する輻射熱が中央付近では略正面方向に反射され、端部付近では正面方向への反射と交差する方向に反射されるように配設された請求項１〜３のいずれか１項に記載の電気ストーブ。
【請求項５】
発熱体ユニットを縦方向に配設した請求項１〜４いずれか１項に記載の電気ストーブ。
【発明の詳細な説明】
【０００１】
【発明の属する技術分野】
本発明は、電気暖房器具に利用する電気ストーブに関するものである。
【０００２】
【従来の技術】
従来、この種の電気ストーブは、図８〜１０に示されているような構造になっていた。
【０００３】
図８〜１０において１は前面を開口したストーブ本体、９はストーブ本体１内に設けられた略放物線形状を有する反射板、１１は反射板９の前方の位置に配設された発熱体ユニット、３は結晶化ガラスや石英で形成された管体、１０はＦｅ−Ｃｒ−ＡｌやＮｉ−Ｃｒ等の電熱線やタングステンの金属体をコイル状に丸巻きした発熱線、１２は管体３の両端部より突出した発熱線１０の端部である。発熱体ユニット１１は管体３と管体３内に挿入された発熱線１０より構成されており、発熱線１０の端部１２より通電することで発熱線１０より熱を放射するようになっていた。
【０００４】
【発明が解決しようとする課題】
しかしながら、前記従来の構成では、発熱体ユニット１１は管体３に挿入された一定のコイル状に丸巻きされた放射率の低い金属体の発熱線１０から構成されており、発熱線１０の表面の放射率が低いので放射エネルギー量が少なく、輻射熱による暖房効果が低かった。
【０００５】
また発熱線１０から発生した熱は全方向に一様に放射されるため、発熱線１０から放射される輻射熱でストーブ本体１の前面位置を暖めるためには発熱体ユニット１１から放射される全方向の輻射熱を略正面方向に反射するように構成された略放物線形状の反射板９が必要であった。
【０００６】
本発明は、前記従来の課題を解決するもので、発熱体表面の放射率が高く放射エネルギー量の多い断面形状が長方形である直線状からなる炭素系抵抗発熱体の断面の長辺側がストーブ本体の前面に向くように配設することで発熱体の能力を上げることなく、輻射による暖房効果の向上が可能な電気ストーブを提供することを目的とする。
【０００７】
また、反射板をストーブ本体の前面だけでなく拡散するように構成することで炭素系抵抗発熱体から放射される輻射熱を効率よく利用し、ストーブ本体の略正面だけでなく、斜め前方にも届くようにすることで、広範囲の輻射暖房ができる電気ストーブを提供することを目的とする。
【０００８】
【課題を解決するための手段】
前記従来の課題を解決するために、本発明の電気ストーブは前面を開口したストーブ本体と、ストーブ本体内に設けた反射板と、反射板の前方に断面形状が長方形である直線状の炭素系抵抗発熱体とその外周を覆う管体からなる発熱体ユニットを備え、反射板は、複数の平面状の反射面を略円弧状に繋ぎ合わせて構成し、炭素系抵抗発熱体の断面の長辺側がストーブ本体の略前面に向くように配設したものである。これによって、炭素系抵抗発熱体の一次輻射熱をストーブ本体の前面に集中的に放射できる。
【０００９】
また、発熱体ユニットから放射されるエネルギーが拡散するように構成された反射板を備えたものである。これによって、反射板に反射された輻射熱は略正面だけでなく斜め前方に放射されるので広範囲の輻射暖房が可能となる。
【００１０】
【発明の実施の形態】
請求項１に記載の発明は、前面を開口したストーブ本体と、ストーブ本体内に設けた反射板と、反射板の前方に断面形状が長方形である直線状の炭素系抵抗発熱体とその外周を覆う管体からなる発熱体ユニットを備え、前記反射板は、複数の平面状の反射面を略円弧状に繋ぎ合わせて構成し、前記炭素系抵抗発熱体の断面の長辺側がストーブ本体の略前面に向くように配設したものであり、輻射熱を効率よく前面方向に放射できるようにしたものである。
【００１１】
請求項２に記載の発明は、特に請求項１に記載の反射板を、前記発熱体ユニットの輻射熱をストーブ本体の前方の広範囲に拡散するように構成することで炭素系抵抗発熱体の一次輻射熱をストーブ本体の略正面に集中的に放射すると共に、反射板により反射された輻射熱は略正面だけでなく斜め前方方向に放射することが可能となるので発熱体やストーブ本体を大きくすることなく効率よく広範囲を暖めることが可能となる。
【００１２】
請求項３に記載の発明は、特に請求項１に記載の反射板において、発熱体ユニットの真後ろ部分に発熱体ユニットから真後ろへの輻射熱を全て発熱体ユニット以外の方向に反射するための略Ｖ字形状の凸部を有することで発熱体ユニットから後方に放射され、反射板に反射された輻射熱は発熱体ユニットにさえぎられることなくストーブ本体の前面に効率よく放射することが可能となる。
【００１３】
請求項４に記載の発明は、特に請求項１〜３のいずれか１項に記載の反射板を、発熱体ユニットが放射する輻射熱が中央付近では略正面方向に反射され端部付近では正面方向への反射と交差する方向に反射されるように配設することで反射板の大きさを大きくすることなく発熱体ユニットから放射された輻射熱を前面方向に拡散させることが可能となり、発熱体ユニットからストーブ前方に放射される一次輻射熱と後方に放射されて反射板の中央付近の反射面で反射されてストーブ前方に放射される輻射熱でストーブの略正面方向においては離れた位置まで暖めることが可能となり、また反射板の端部の反射面で反射された輻射熱は斜め方向に放射されるので発熱体ユニットの数を増やすことなく広範囲を暖めながら遠くまで暖めることが可能となる。
【００１４】
請求項５に記載の発明は特に請求項１〜４のいずれか１項に記載の発熱体ユニットを縦置きに配設することで発熱体から放射される輻射熱を効率よく反射することができ、低い部分だけでなく高い部分のストーブ前面の広範囲を暖めることが可能となる。
【００１５】
【実施例】
以下、本発明の実施例について、図面を参照しながら説明する。
【００１６】
（実施例１）
図１は本発明の実施例１における電気ストーブの部分断面斜視図である。図２は発熱体ユニットの部分断面図である。また図３は反射板の断面図、及びで発熱体ユニットから放射される輻射熱の進行方向の概略を示している。
【００１７】
図１〜３において、１は前面を開口したストーブ本体、２はストーブ本体１内に設けた反射板である。２ａは平面状の反射面であり、複数を繋ぎ合わせて反射板２を構成している。５は反射板２の前方に断面形状が長方形である直線状の炭素系抵抗発熱体４とその外周を覆う管体３からなる発熱体ユニット、６は炭素系抵抗体４に通電して赤熱させるための端部引き出し線である。ここで、炭素系抵抗発熱体４の断面の長辺側４ａがストーブ本体１の前面に向くように配設されている。
【００１８】
以上のように構成された電気ストーブにおいて、断面形状が長方形である直線状の炭素系抵抗発熱体４において熱放射量が多い断面の長辺側４ａをストーブ本体１の略前面に向くように配設しているので、略正面方向に一次輻射熱が多く放射される。
【００１９】
また、炭素系抵抗発熱体４から後方へ放射される輻射熱を略正面だけでなく斜め前方にも反射するように配設された平面状の反射面２ａから構成されている反射板２を備えているので、炭素系抵抗発熱体４の略正面方向に放射される一次輻射熱と合わせて、前面方向の広範囲の暖房を行うことも可能となる。
【００２０】
また、本実施例では、炭素系抵抗発熱体４から後方へ放射される輻射熱を略正面だけでなく斜め前方にも反射するように構成した反射板を用いたが、従来のように略正面方向に反射するように構成すれば、略正面の特定範囲に集中した暖房を行うことも可能である。
【００２１】
（実施例２）
図４は本発明の実施例２における電気ストーブの発熱体ユニットと平面状の反射面を繋ぎ合わせて構成されている反射板の断面図であり、同時に発熱体ユニットから放射される輻射熱の進行方向の概略を示している。
【００２２】
図４において反射板７は、平面上の反射面７ａと、発熱体ユニット５の背面部分に発熱体ユニット側に略Ｖ字形状の凸部７ｂとから構成されている。
【００２３】
以上のように構成された電気ストーブにおいて、発熱体ユニット５から後方に放射された輻射熱は反射板７に設けられた略Ｖ字形状の反射板７ａに反射されて発熱体ユニット５にさえぎられることなくストーブ本体１の前面に効率よく放射するように構成されているので発熱体ユニットの出力を大きくすることなく、ストーブ本体１の前方の広範囲を暖めることができる。
【００２４】
（実施例３）
図５、図６は本発明の実施例３における電気ストーブの発熱体ユニットと平面状の反射面を繋ぎ合わせて構成されている反射板の断面図であり、図５はストーブ本体の正面方向から見た場合の発熱体ユニットから放射されて反射板により反射された輻射熱の進行方向の概略を示しており、図６はストーブ本体の斜め方向から見た場合の発熱体ユニットから放射されて反射板により反射された輻射熱の進行方向の概略を示している。
【００２５】
図５、図６において、５は発熱体ユニットであり、８は発熱体ユニット５から放射された輻射熱を中央付近では略正面方向に反射し、端部付近では斜め方向に反射されるように平面状の複数の反射面８ａから構成されている反射板である。
【００２６】
以上のように構成された電気ストーブにおいて、断面形状が長方形である直線状の炭素系抵抗発熱体４において熱放射量が多い断面の長辺側４ａをストーブ本体１の略前面に向くように配設し、発熱体ユニット５から後方に放射された輻射熱は反射板の中央付近では略正面方向に反射され、反射板の端部付近では正面方向への反射と交差する方向に反射されるので反射板を大きくしたり、発熱体ユニットの出力を大きくすることなく略正面方向に輻射熱の放射を集中するのと同時に斜め前方にも輻射熱を放射できるので、ストーブ本体の前方で温度差による違和感を小さくしながらストーブ前方の離れた位置まで暖めることができる。
【００２７】
（実施例４）
図７は本発明の実施例４における電気ストーブの部分断面斜視図である。本実施例では発熱体ユニット５を縦向きに配設しており、ストーブ本体１は縦長の形状となっている。
【００２８】
以上のように構成された電気ストーブにおいて、輻射熱は左右方向に広範囲に反射されるので、ストーブ前面の上下左右の広範囲を暖めることが可能となる。
【００２９】
【発明の効果】
以上のように、本発明によれば、発熱体ユニットの能力を大きくすることなく、ストーブ前面の離れた位置を集中的に暖めることができる。あるいは、同時にストーブ本体の前方の広範囲を暖めることができる。また、ストーブ本体を細くしても前方の広範囲を暖めることが可能であるので設置場所が狭い場所でも使用することができる。
【図面の簡単な説明】
【図１】本発明の実施例１における電気ストーブの部分断面斜視図
【図２】本発明の実施例１における電気ストーブの発熱体ユニットの部分断面斜視図
【図３】本発明の実施例１における電気ストーブの発熱体ユニットからの熱が反射板で反射され輻射熱として進行する方向を示した断面図
【図４】本発明の実施例２における電気ストーブの発熱体ユニットからの熱が反射板で反射され輻射熱として進行する方向を示した断面図
【図５】本発明の実施例３における電気ストーブの発熱体ユニットからの熱が反射板で反射され輻射熱としてストーブ本体の正面方向から見た進行方向を示した断面図
【図６】本発明の実施例３における電気ストーブの発熱体ユニットからの熱が反射板で反射され輻射熱としてストーブ本体の斜め方向から見た進行方向を示した断面図
【図７】本発明の実施例４における電気ストーブの部分断面図斜視図
【図８】従来の電気ストーブの部分断面斜視図
【図９】従来の電気ストーブの発熱体ユニットを示した構成図
【図１０】従来の電気ストーブの反射板および輻射熱の進行方向を示した図
【符号の説明】
１  ストーブ本体
２、７、８  反射板
２ａ、７ａ、８ａ  反射面
３  管体
４  炭素系抵抗発熱体
４ａ  長辺部
５  発熱体ユニット
７ｂ  凸部
【図１】
0003607223.tif 000002
【図２】
0003607223.tif 000003
【図３】
0003607223.tif 000004
【図４】
0003607223.tif 000005
【図５】
0003607223.tif 000006
【図６】
0003607223.tif 000007
【図７】
0003607223.tif 000008
【図８】
0003607223.tif 000009
【図９】
0003607223.tif 000010
【図１０】
0003607223.tif 000011